(57)【要約】【課題】表示出力は有効であるが操作入力は無効とされる回動角度領域を設けることにより、表示出力中にユーザーの意図しない操作入力が行われるのを抑制して、利便性の向上を図った折り畳み式携帯電話装置を提供すること。【解決手段】上側筐体１０と下側筐体２０との成す回動角度θに応じて入出力の有効・無効の切り替えを行う折り畳み式携帯電話装置１において、前記回動角度θが、予め規定された第１角度（θ≧３０度）及び前記第１角度より大きい第２角度（θ≦１４０）に達しているか否かを検出する回動状態検出手段（６４，６５）を有し、  制御部（５３）は、前記回動状態検出手段により前記回動角度が前記第１角度に達していることが検出されたときにのみ表示出力を有効にし、更に、前記第２角度に達していることが検出されたときにのみ操作入力を有効とする。【選択図】図４
2011151455.tif 000002
【特許請求の範囲】
【請求項１】
上側筐体と下側筐体とを回動自在に連結してなり、制御部が、前記上側筐体と前記下側筐体との成す回動角度に応じて入出力の有効・無効の切り替えを行う折り畳み式携帯電話装置であって、
前記回動角度が、予め規定された第１角度及び前記第１角度より大きい第２角度に達しているか否かを検出する回動状態検出手段を有し、
前記制御部は、前記回動状態検出手段により前記回動角度が前記第１角度に達していることが検出されると表示出力を有効にし、更に、前記第２角度に達していることが検出されると操作入力を有効とする、ことを特徴とする折り畳み式携帯電話装置。
【請求項２】
前記回動状態検出手段は、磁石とホール素子とからなる磁気センサーにより、前記回動角度が前記第１角度に達しているか否かを検出する第１角度検出手段と、前記回動角度が前記第２角度に達しているか否かを検出する第２角度検出手段とを含んで構成されることを特徴とする請求項１に記載の折り畳み式携帯電話装置。
【請求項３】
前記第１角度が２０度〜４０度、前記第２角度が１３０度〜１５０度とされていることを特徴とする請求項１に記載の折り畳み式携帯電話装置。
【請求項４】
前記回動状態検出手段を介して、前記回動角度が前記第２角度に達している状態から当該第２角度を下回った状態へと移行されたことが検出されたときには、前記制御部は、表示出力および操作入力の双方を同時に無効とする、ことを特徴とする請求項１〜３のいずれかに記載の折り畳み式携帯電話装置。
【発明の詳細な説明】
【技術分野】
【０００１】
本発明は、上側筐体と下側筐体とを回動自在（開閉自在）に連結してなる折り畳み式携帯電話装置に関する。より詳細には、上側筐体と下側筐体のなす角度（以下、回動角度）が、第１角度に達していることが検出されたときに表示出力を有効にし、更に、前記第１角度より大きい第２角度に達していることが検出されたときに操作入力を有効とするようにした折り畳み式携帯電話装置に関するものである。
【背景技術】
【０００２】
上側筐体と下側筐体とを回動自在に連結してなる折り畳み式携帯電話装置が広く普及している。上側筐体には、液晶ディスプレイ等の表示手段が設けられ、下側筐体には、テンキー等の操作手段が配置されるのが一般的であるが、昨今では、下記特許文献１に示されるように、両筐体に液晶ディスプレイ等の表示手段や、操作ボタン、タッチパネル等の操作手段が配置されたものも普及している。
【０００３】
この種の折り畳み式携帯電話装置においては、一般に、上側筐体と下側筐体とが閉じられた状態においては、ユーザーによる携帯電話装置の使用状態にないので、各部の電源供給、例えば、表示手段への電源供給がオフにされ電力消費を抑制し、上側筐体と下側筐体とが回動され、開かれた状態になると、各部への電力供給を開始してユーザーによる使用が可能な状態にされる。
【０００４】
このため、このような折り畳み式携帯電話装置には、上側筐体と下側筐体とが閉じられた状態にあるか、あるいは、上側筐体と下側筐体とが回動され、開かれた状態にあるかを検出するために機械的な検出スイッチ機構や電気・磁気的な検出スイッチなどが設けられる。
【０００５】
例えば、下記の特許文献１（特開２００５−３５４３８４号公報）には、磁石のＮ極とＳ極の双方に反応するＭＲセンサーを２つ用い、下部筐体の２軸ヒンジの垂直軸に向かい合う線対象の位置にＭＲセンサーを２つ配設するとともに、上部筐体にはＭＲセンサーに対向する位置にマグネットを１つ配設し、２軸ヒンジを用いた折り畳み式携帯電話装置に対応するようにした携帯電話装置が開示されている。
【０００６】
このような磁気センサーを用いて携帯電話装置の状態を検出する技術は、下記の特許文献２（特開２００５−２６８１８号公報）に開示されたスライド型の携帯電話装置にも用いられている。
【０００７】
このように、一般的に折り畳み式携帯電話装置には、磁石とホール素子とからなる、いわゆる磁気センサーが備えられている。この磁気センサーにより磁界の変化を感知することによって、折り畳み式携帯電話装置の上側筐体と下側筐体とが回動され、開かれた状態にされたか否か、すなわち、上側筐体と下側筐体の回動角度が所定量に達しているか否かが検出されるようになっている。回動角度が所定量に達したことが検出されると、制御部が表示出力と操作入力を有効とするように構成されている。逆に、回動角度が所定量に達していない状態、すなわち、携帯電話装置が折り畳まれて閉じられた状態にあるときには、表示出力も操作入力も無効となり、これにより、待機電力の浪費をできるだけ抑制している。
【先行技術文献】
【特許文献】
【０００８】
【特許文献１】特開２００５−３５４３８４号公報（段落「００１０」〜「００１２」）
【特許文献２】特開２００５−２６８１８号公報（段落「０００６」〜「０００７」）
【発明の概要】
【発明が解決しようとする課題】
【０００９】
しかしながら、上記特許文献１や２に開示された磁気センサーによる検出手段を適用しても、上述のように、任意１つの回動角度を基準として、入出力の有効ないし無効を決定してしまうと、ユーザーの意図にそぐわない動作処理が行なわれてしまう場合がある。例えば、携帯電話装置の表示を視認するだけであれば、回動角度が３０度程度あれば事足りるのであるが、このとき、不用意に操作ボタン等に指が触れてしまう場合がある。或いは、バッグの中に折り畳み式携帯電話装置が収納されているような場合には、バッグの内容物が折り畳み式携帯電話装置に衝突等して勝手に回動させてしまい、携帯電話装置が半開き状態となって、操作ボタン等が意図せず操作されてしまうような場合がある。
【００１０】
本願の発明者は上記の問題点を解消すべく種々検討を重ねた結果、表示出力を有効にするときの回動角度よりも、操作入力を有効にするときの回動角度を十分大きく設定することにより、上記の問題を解消し得ることに想到して本発明を完成するに至ったものである。
【００１１】
すなわち、本発明は、表示出力は有効であるが操作入力は無効とされる回動角度領域を設けることにより、表示出力中にユーザーの意図しない操作入力が行われるのを抑制して、利便性の向上を図った折り畳み式携帯電話装置を提供することを目的とするものである。
【課題を解決するための手段】
【００１２】
前記課題を解決するために、本願の請求項１にかかる折り畳み式携帯電話装置の発明は、
上側筐体と下側筐体とを回動自在に連結してなり、制御部が、前記上側筐体と前記下側筐体との成す回動角度に応じて入出力の有効・無効の切り替えを行う折り畳み式携帯電話装置であって、
前記回動角度が、予め規定された第１角度及び前記第１角度より大きい第２角度に達しているか否かを検出する回動状態検出手段を有し、
前記制御部は、前記回動状態検出手段により前記回動角度が前記第１角度に達していることが検出されたときに表示出力を有効にし、更に、前記第２角度に達していることが検出されたときに操作入力を有効とする、ことを特徴とする。
【００１３】
また、本願の請求項２にかかる発明は、請求項１に記載の折り畳み式携帯電話装置において、前記回動状態検出手段は、磁石とホール素子とからなる磁気センサーにより、前記回動角度が前記第１角度に達しているか否かを検出する第１角度検出手段と、前記回動角度が前記第２角度に達しているか否かを検出する第２角度検出手段とを含んで構成されることを特徴とする。
【００１４】
また、本願の請求項３にかかる発明は、請求項１に記載の折り畳み式携帯電話装置において、前記第１角度が２０度〜４０度、前記第２角度が１３０度〜１５０度とされていることを特徴とする。
【００１５】
また、本願の請求項４にかかる発明は、請求項１〜３のいずれかに記載の折り畳み式携帯電話装置において、前記回動状態検出手段を介して、前記回動角度が前記第２角度に達している状態から当該第２角度を下回った状態へと移行されたことが検出されたときには、前記制御部は、表示出力および操作入力の双方を同時に無効とする、ことを特徴とする。
【発明の効果】
【００１６】
請求項１にかかる発明によれば、ＣＰＵ等の制御部は、回動状態検出手段により回動角度が第１角度に達していることが検出されたときに表示出力を有効にし、更に、前記第１角度より大きい第２角度に達していることが検出されたときに操作入力を有効とするように制御するので、結果として、表示出力は有効で操作入力は無効とされる回動角度領域が設けられることになる。そして、回動角度が当該回動角度領域内にあるときには、表示出力は有効とされても、操作入力は無効とされるので、携帯電話装置を半開きにして表示のみを確認している間、あるいはバッグ等の中で意図せず半開きになっているような間、不意の操作入力がなされて何らかの処理が開始されるのを防止することができるようになる。
【００１７】
請求項２にかかる発明によれば、このように、この種の折り畳み式携帯電話装置に従来から備え付けられている磁気センサーを回動状態検出手段に採用することもできるので、従来型の折り畳み式携帯電話装置に本発明を容易に適用することができる。なお、一般的には、従来型の磁気センサーは本発明でいうところの第１角度に達しているか否かを検出するセンサーであるため、検出感度を良好にするためには、第２角度に達しているか否かを検出する角度検出センサーについては別途用意するのが好ましい。無論、第２角度に達しているか否かを検出する角度検出センサーとしても、従来の磁気センサーを利用することも考えられる。
【００１８】
請求項３にかかる発明は第１角度及び第２角度についての具体的数値を示すものである。第１角度としては、ユーザーが外側から表示を視認できる程度の回動角度が確保されればよく、また第２角度としては、ユーザーの操作入力の意志を確認できる程度の回動角度が確保されればよい。このような観点から、請求項３にかかる発明によれば、第１角度及び第２角度については上記数値範囲に設定されるのが好ましい。
【００１９】
請求項４にかかる発明においては、第２角度は、もっぱらユーザーによる入力の意志が確認できる程度の角度が確保されればよく、すなわち、第２角度に達している状態からこれを下回る状態へと変化した場合には、ユーザーが携帯電話装置を折り畳んでその使用を中断しようとしているものと考えられるから、上述のような構成とすることで、余計な表示出力や操作入力を無効とすることができる。
【図面の簡単な説明】
【００２０】
【図１】本実施形態の折り畳み式携帯電話装置の全体構成を示す外観斜視図である。
【図２】本実施形態の折り畳み式携帯電話装置の回路構成を示すブロック図である。
【図３】回動角度に応じた制御部の処理内容を示すフローチャートである。
【図４】回動角度の異なる３つの状態の折り畳み式携帯電話装置の状態説明図である。
【発明を実施するための形態】
【００２１】
以下、本発明の具体例を実施例及び図面を用いて詳細に説明する。但し、以下に示す実施形態は、本発明の技術的思想を具体化するための折り畳み式携帯電話装置を例示するものであって、本発明をこの折り畳み式携帯電話装置に特定することを意図するものではなく、特許請求の範囲に含まれるその他の実施形態のものにも等しく適応し得るものである。
【実施例】
【００２２】
図１は、本発明の実施例にかかる折り畳み式携帯電話装置の全体構成を示す外観斜視図である。本実施形態の折り畳み式携帯電話装置１は、上側筐体１０と下側筐体２０とを、この例では、ヒンジ（回動手段）３０で、上側筐体１０と下側筐体２０とが回動自在になるように連結してなる。その回動角度は０度（閉じた状態）〜約１８０度（全開にした状態）となっている。
【００２３】
また、上側筐体１０の裏面には、液晶表示パネル等の画面表示手段１１、スピーカー１２、イヤホン１３等を含む音声出力手段１４が設けられている。下側筐体２０の裏面には、テンキー２１、通話開始キー２２、通話終了キー２３、電子メール機能やインターネット機能などの各種の機能の設定を行う機能キー２４(Ａ・Ｂ)、方向レバーや決定ボタン等からなるコントロールキー２５、マイク２６、その他各種入力ボタン等を含む操作手段２７が設けられている。
【００２４】
図２に示すように、折り畳み式携帯電話装置１の回路構成は以下の通りとなっている。すなわち、アンテナ４１と接続された通信部４２を備えている。この通信部４２は、後述のベースバンド部４３からの信号を、アンテナ４１を介して基地局へ発信し、あるいはアンテナ４１を介して基地局からの電波を受信する。この通信部４２により、折り畳み式携帯電話装置１は、他の通信機器（例えば、携帯電話装置等）と通信（通話）することができるとともに、電子メールの送受信が可能となり、さらにはインターネットに接続することも可能となっている。
【００２５】
また、通信部４２は、ベースバンド部４３と接続されている。ベースバンド部４３は、ＣＤＭＡ処理回路４４と、音声コーデック４５と、を有している。ここで、ＣＤＭＡ処理回路４４は、符号分割多元接続、スクランブル、誤り制御、タイミング検出を行う。また、音声コーデック４５は、音声を圧縮（符号化）、伸張（復号化）したり、アナログとデジタルの変換を行ったり、内部の増幅回路（図示省略）により受話音量やマイクロフォンの感度を変更する。
【００２６】
ベースバンド部４３には、切替回路４６が接続されている。この切替回路４６には、増幅回路４７を介して第１スピーカー４８が接続されている。この第１スピーカー４８は、増幅回路４７で増幅されたベースバンド部４３の電気信号を音声に変換する。この第１スピーカー４８は、すなわち、図１で示した音声出力手段１４に相当し、ユーザの耳にあてて通話に使用される。
【００２７】
切替回路４６には、増幅回路４９を介してマイクロフォン５０が接続されている。このマイクロフォン５０は、通話に使用され、音声を電気信号に変換する。マイクロフォン５０により入力された電気信号は、増幅回路４９で増幅されてベースバンド部４３に出力される。このマイクロフォン５０は、図１で示したマイク２６に相当する。
【００２８】
また、切替回路４６には、増幅回路５１を介して第２スピーカー５２が接続されている。この第２スピーカー５２は、増幅回路５１で増幅されたベースバンド部４３の電気信号を音声に変換する。この第２スピーカー５２は、すなわち、図１で示した音声出力手段１４に相当し、受話音を周囲の人にも聞かせるための拡声用のスピーカーである。また、第２スピーカー５２は、着信報知の鳴動も行う。なお、これらの３つの増幅回路４７、４９、５１は、ゲインを固定しており、第１スピーカー４８及び第２スピーカー５２の音量やマイクロフォン５０の感度を変更することはできないようになっている。
【００２９】
この切替回路４６は、ベースバンド部４３との接続を、第１スピーカー４８用の増幅回路４７及びマイクロフォン５０用の増幅回路４９側にするか、あるいは拡声用の第２スピーカー５２用の増幅回路５１及びマイクロフォン５０用の増幅回路４９側にするかを切り替える。
【００３０】
通信部４２、ベースバンド部４３、切替回路４６には、制御回路（制御部）５３がそれぞれ接続されている。この制御部５３の制御により上述した切替回路４６による切り替えが行われる。また、制御部５３によりベースバンド部４３の音声コーデック４５が制御され、音声コーデック４５により第１スピーカー４８及び第２スピーカー５２の音量やマイクロフォン５０の感度が変更される。制御部５３は、ＲＯＭ５４と接続されており、ＲＯＭ５４に格納されているシステムプログラムに基づき各部を制御する。
【００３１】
また、制御部５３は、ＲＡＭ５５と接続されている。このＲＡＭ５５には、制御部５３の動作に必要な所定の情報や、特定人の個人情報（例えば、特定人の電子メールアドレス、電話番号、デジタル画像、Ｃメールアドレス、ＧＰＳメールアドレス等）がそれぞれ記憶されている。
【００３２】
制御部５３には、液晶ディスプレイ５６が表示部（図１の表示手段１１に相当）として接続されている。そして、ディスプレイ５６には、現在の時刻、電話番号、特定人に実行可能な機能の内容、特定人に関する個人情報などがそれぞれ表示される。この表示部５６が作動される際には、この例では、液晶ディスプレイ５６の背後に配置された照明部６３が同時に作動されることにより、表示部が明るく点灯される。
【００３３】
制御部５３には、入力部５７（図１の操作手段２７に相当）が接続されている。この入力部５７は、電話番号や各ロックナンバー等の入力を行うテンキー５８（図１のテンキー２１に相当）と、通話の開始を操作する通話開始キー５９（図１の通話開始キー２２に相当）と、通話の終了を操作する通話終了キー６０（図１の通話終了キー２３に相当）と、電子メール機能やインターネット機能などの各種の機能の設定を行う機能キー６１（図１の機能キー２４(Ａ・Ｂ)に相当）と、方向レバーや決定ボタン等からなるコントロールキー６２（図１のコントロールキー２５に相当）とを有している。
【００３４】
また、図２に示されるように、制御部５３には、第１角度到達検出手段（本発明の第１角度検出手段に相当）としてのホールセンサー６４と、回動角度検出センサー（本発明の第２角度検出手段に相当）６５とからの出力が入力される。すなわち、本発明においては、第１角度到達検出手段（本発明の第１角度検出手段に相当）としてのホールセンサー６４と、回動角度検出センサー６５（本発明の第２角度検出手段に相当）とにより、回動状態検出手段が構成される。回転角度検出センサー６５は、上側筐体１０と下側筐体２０とが所定の角度に回動すると出力を生じる機械的スイッチ機構であってもよく、他の検出機構であってもよい。
【００３５】
第１角度到達検出手段としてのホールセンサー６４は、磁石と、この磁石の磁界変化を検出するホール素子とからなり、それぞれ一方が、先に示した図１の上側筐体１０と下側筐体２０との何れかに埋め込まれて構成されるものであり、上側筐体１０と下側筐体２０の回動角度が約２０〜４０度に達しているときの磁界状態を検出すると、オン出力（第１出力）を生成して制御部５３に入力する。
【００３６】
第２角度到達検出手段としての回動角度検出センサー６５は、ヒンジ（回動手段）３０と、上側筐体１０及び／または下側筐体２０とに、例えば凹凸からなる機械的検知スイッチ（不図示）を設けることで、上側筐体１０と下側筐体２０との成す回動角度が１３０度〜１５０度になったときにオン出力（第２出力）を生成するように構成されている。生成された第２出力は制御部５３に入力される。
【００３７】
そして、制御部５３はホールセンサー６４からの第１出力と、回動角度検出センサー６５からの第２出力の論理出力を判別することにより、図３のフローチャートに示されるように、ディスプレイ５６への表示出力の有効・無効、入力部５７からの操作入力の有効・無効を判別する。
【００３８】
この表示出力・操作入力・有効・無効判別処理では、まず、回動角度θが２０度以上であるか否かが第１出力に基づいて判別される（ステップＳ１０１）。例えば、上側筐体１０と下側筐体２０とが閉じられているような場合は、θは０度（２０度未満）であるため、表示出力・操作入力はいずれも無効とされ、表示も、入力もできない状態とされる（ステップＳ１０１Ｎｏ）。
【００３９】
一方、回動角度θが、図４Aに示されるように２０度以上に達すると（ステップＳ１０１Ｙｅｓ）、表示出力が有効となり、ディスプレイ５６への表示出力が有効となる（ステップＳ１０２）。ただし、この状態では、まだ、操作入力（入力部５７からの操作入力）は無効に設定されたままである（ステップ１０３）。
【００４０】
次いで、回動角度θが１３０度以上であるか否かが第２出力に基づいて判別される（ステップＳ１０４）。例えば、図４Bに示されるように、上側筐体１０と下側筐体２０とが一定量（１３０度以上）開かれたような場合は（ステップＳ１０４Ｙｅｓ）、表示出力・操作入力はいずれも有効とされ、表示も、入力もされる状態とされる（ステップＳ１０５５、ステップＳ１０６）。この状態は、再度、第２出力がオフ（ステップＳ１０７Ｎｏ）となるまで維持される。
【００４１】
一方、図４Cに示されるように、回動角度θが１３０度以上となった後、更に、第２出力がオフとなると（ステップＳ１０７Ｙｅｓ）、表示出力及び操作入力がいずれも無効となり（ステップＳ１０８）、処理は終了される。
【００４２】
上述のように、本実施形態の折り畳み式携帯電話装置によれば、ＣＰＵ等の制御部５３は、ホールセンサー（第１角度到達検出手段）６４及び第２角度検出手段（第２角度到達検出手段）６５により、上側筐体１０と下側筐体２０との成す回動角度θが第１角度（この例では２０度）に達していることが検出されたときに（ステップＳ１０１Ｙｅｓ）、表示出力（ディスプレイ５６）を有効（ステップＳ１０２）にし、更に、前記第１角度より大きい第２角度（この例では１３０度）に達していることが検出されたときに（ステップＳ１０４）入力部５７からの出力を有効とするように制御するので、結果として、表示出力は有効で操作入力は無効とされる回動角度領域（２０度≦θ＜１３０度）が設けられることになる。そして、回動角度が当該回動角度領域内（２０度≦θ＜１３０度）にあるときには、表示出力は有効とされても（ステップＳ１０２）、操作入力は無効とされるので（ステップＳ１０３）、携帯電話装置を半開きにして表示のみを確認している間、あるいはバッグ等の中で意図せず半開きになっているような間、不意の操作入力がなされて何らかの処理が開始されるのを防止することができるようになる。
【００４３】
加えて、第２角度は、もっぱらユーザーによる入力の意志が確認できる程度の角度が確保されればよく、本実施形態では、第２角度θ＝１３０度としたがこれに限るものではない。
【符号の説明】
【００４４】
１      折り畳み式携帯電話装置
１０    上側筐体
１１    表示手段（液晶ディスプレイ）
１２    スピーカー
１３    イヤホン
１４    音声出力手段
２０    下側筐体
２１    テンキー
２２    通話開始キー
２３    通話終了キー
２４    機能キー
２５    コントロールキー
２６    マイク
２７    入力部（操作手段）
４１    アンテナ
４２    通信部
４３    ベースバンド部
４４    処理回路
４５    音声コーデック
４６    切替回路
４７    増幅回路
４８    第１スピーカー
４９    増幅回路
５０    マイクロフォン
５１    増幅回路
５２    第２スピーカー
５３    制御部
５６    液晶ディスプレイ
５７    入力部
５８    テンキー
５９    通話開始キー
６０    通話終了キー
６１    機能キー
６２    コントロールキー
６３    照明部
６４    ホールセンサー
６５    回動角度検出センサー
θ      回動角度
【図１】
2011151455.tif 000003
【図２】
2011151455.tif 000004
【図３】
2011151455.tif 000005
【図４】
2011151455.tif 000006